(57)【特許請求の範囲】
【請求項１】
外周を覆う周壁により一定の容積を有して構成されると共に周囲から草花が植えられて全体が草花で覆われる鉢本体と、この鉢本体の一側上部に設けられ鉢本体を垂直面に係止させる係止部と、この係止部によって垂直面に係止された鉢本体がこの垂直面に対して安定するように鉢本体の一側に設けられた当接部とを備えた壁掛け型給水機能付き植木鉢において、
前記鉢本体を貫通する支柱を設けると共にこの支柱を中空状に成形して内部に水を貯め、一端がこの支柱内に挿入され他端が草花の根元側に配置されて毛細管現象により水を少しずつ草花の根元に供給する給水部材を備え、
前記鉢本体が複数の枠体に分割されると共に各枠体の中央に内筒をそれぞれ備え、当該各内筒のうちの下側の内筒ほど前記支柱に係止する部分の内径を大きくすると共に、前記支柱が前記各内筒をそれぞれ係止するように下側ほど外径を大きくした段部を備え、前記支柱の各段部に前記各内筒が嵌合することで前記支柱が、積層された各枠体を貫通して一体的に固定支持することを特徴とする壁掛け型給水機能付き植木鉢。
【発明の詳細な説明】
【０００１】
【産業上の利用分野】
本発明は、壁面や柱等の垂直面に掛ける壁掛け型であって長期間水を供給し続ける給水機能を備えた壁掛け型給水機能付き植木鉢に関する。
【０００２】
【従来の技術】
従来の壁掛け型の植木鉢としては、例えば実開平５−１５７４４号公報記載のものが知られている。この植木鉢を図２０に基づいて概説する。
【０００３】
図中１は鉢本体である。この鉢本体１は上方が開口しており、半円筒状に形成されて背面２を有している。背面２の上部にこの植木鉢を壁面に掛けるための孔３が設けられている。鉢本体１の下部には給水用の水を貯める容器４が取り付けられている。
【０００４】
【発明が解決しようとする課題】
ところで、前述した壁掛け型の給水機能付き植木鉢は、鉢本体１が上方に開口し、上方からのみ草花をさすことができるタイプの植木鉢である。この場合、水分は草花によって吸収される以外は、鉢本体１の上方から蒸発するだけである。このため、水の蒸発する面積は小さく、蒸発量も少ない。この結果、給水用の容器４を備えることで、人手によって水をやる間隔を長期化でき、水をやる回数を低減できて便利である。
【０００５】
この給水機能（容器４）は、特に内部が乾燥しやすい構成の植木鉢に用いると有効である。即ち、上側からだけではなく側面からも草花を植えて全体が草花で覆われるようにした植木鉢では、この草花を周囲から植えるための穴を多数設けるため、水の蒸発する面積が広くなる。このため、多数の穴から水分が多量に蒸発して内部が乾燥しやすくなる。このような植木鉢の場合は前述のような給水機能を備えることで、草花に水をやる間隔を長期化できて特に有効である。
【０００６】
このように、周囲に多数の穴を設けた植木鉢に給水機能が付いていると極めて有効であるにもかかわらず、従来、このような植木鉢に給水機能を備えたものがなかった。
【０００７】
本発明は以上述べたような問題点に鑑みてなされたもので、水分が蒸発しやすい状況にも自動的に給水して人手によって水をやる間隔を長期化し得る壁掛け型給水機能付き植木鉢を提供することを目的とする。
【０００８】
【課題を解決するための手段】
前述した課題を解決するために本発明に係る壁掛け型給水機能付き植木鉢は、外周を覆う周壁により一定の容積を有して構成されると共に周囲から草花が植えられて全体が草花で覆われる鉢本体と、この鉢本体の一側上部に設けられ鉢本体を垂直面に係止させる係止部と、この係止部によって垂直面に係止された鉢本体がこの垂直面に対して安定するように鉢本体の一側に設けられた当接部とを備えた壁掛け型給水機能付き植木鉢において、前記鉢本体を貫通する支柱を設けると共にこの支柱を中空状に成形して内部に水を貯め、一端がこの支柱内に挿入され他端が草花の根元側に配置されて毛細管現象により水を少しずつ草花の根元に供給する給水部材を備え、前記鉢本体が複数の枠体に分割されると共に各枠体の中央に内筒をそれぞれ備え、当該各内筒のうちの下側の内筒ほど前記支柱に係止する部分の内径を大きくすると共に、前記支柱が前記各内筒をそれぞれ係止するように下側ほど外径を大きくした段部を備え、前記支柱の各段部に前記各内筒が嵌合することで前記支柱が、積層された各枠体を貫通して一体的に固定支持することを特徴とする。
【０００９】
【作用】
本発明では、支柱の内部に貯まった水が、給水部材の一端から吸われて他端まで毛細管現象により移動し、土等に吸収されて草花の根元を潤す。これにより、支柱に貯まった水がなくなるまで、草花の根元に水を補給し続ける。
【００１０】
また、鉢本体に多数の草花を周囲から植えるため、鉢本体が複数の枠体に分割されており、各枠体は積層された状態で、これらを貫通する支柱の各段部が各枠体の内筒にそれぞれ嵌合して、一体的に固定支持される。この場合も、支柱内の水は、給水部材により土等に吸収されて草花の根元を潤す。そして、支柱に貯まった水がなくなるまで、水を補給し続ける。
【００１１】
【実施例】
以下、本発明の実施例について図面を参照しながら説明する。
【００１２】
［実施例の構成］
本実施例に係る壁掛け型給水機能付き植木鉢は、図１及び図２に示すようになっている。具体的には、この壁掛け型給水機能付き植木鉢１０は、外周を覆う周壁により一定の容積を有して構成されると共に周囲から草花が植えられて全体が草花で覆われる鉢本体１１と、この鉢本体１１の上側を施蓋する蓋体１２と、この蓋体１２の一側上部（図２中の右側上部）に設けられ鉢本体１１を壁面や柱等の垂直面に係止させる係止部１３と、この係止部１３によって垂直面に係止された鉢本体１１がこの垂直面に対して安定するように鉢本体１１の一側に設けられた当接部１４とを備えて構成されている。
【００１３】
鉢本体１１は、その全体形状をほぼ四半球状（半球を半分にした形状）に形成されている。具体的には、２段に分割された各枠体（上段枠体１５及び下段枠体１６）と、これらを積層した状態で支持する支柱１７と、これらを組み立てた状態で全体を固定支持する締付けノブ１８とから構成されている。これらの各部品は全部射出成形等により、合成樹脂で成形されている。
【００１４】
上段枠体１５は、ほぼ四半球状の鉢本体１１の上部を構成するもので、図１から図５に示すようになっている。全体は、ほぼ四半球面の上部を構成する周壁２１と、この周壁２１の下端縁部に下方に向けて環状に形成された断面コ字状の嵌合部２２と、周壁２１の中央付近（当接部１４近傍）に上下方向に設けられた内筒２３とから構成されている。内筒２３は周壁２１側にリブ２４で支持されている。このリブ２４は周壁２１の下端部にのみ設けられている。
【００１５】
周壁２１の上端縁部には、４ヵ所の位置に等間隔にＵ字状の切欠き２６が設けられている。この切欠き２６には、薄くて容易に破ることができる薄膜（図示せず）が、上段枠体１５の成形の際に一体的に成形される。草花は鉢本体１１の内部に植えられた状態で、この切欠き２６から外部に出される。このとき、薄膜は草花の茎の大きさに合せて切り取る。
【００１６】
内筒２３は、上段筒部２３Ａと下段筒部２３Ｂとを備えて２段に成形され、これらの間に上段縮径段部２３Ｃが、下段筒部２３Ｂの下部に下段縮径段部２３Ｄがそれぞれ形成されている。下段縮径段部２３Ｄの下側周囲には、後述する下段枠体１６の内筒３２の上端外径よりも僅かに大きい内径を有する環状壁２３Ｅが設けられている。これにより、環状壁２３Ｅが下段枠体１６の内筒３２の上端部に嵌合することで、上段枠体１５と下段枠体１６とが互いに嵌合してずれないようになっている。さらに、内筒２３の上段筒部２３Ａの側部には相対向した２ヵ所の位置に給水口２５が設けられている。この給水口２５には後述する給水ヒモ４５が通される。
【００１７】
上段枠体１５の一側（図４中の右側）には当接部１４が設けられている。この当接部１４は壁等に整合するように平坦面状に成形されている。当接部１４の両側位置には植木鉢１０が壁面等に掛けられた状態で壁面等に当接して全体を安定させる支持板２７がそれぞれ設けられている。各支持板２７は、当接部１４の両側位置で上下方向に沿って配設され、後述の補強用リブ１３Ａとほぼ同様の突条として構成されている。
【００１８】
下段枠体１６は、ほぼ四半球状の鉢本体１１の下部を構成するもので、図１、図２及び図６から図８に示すようになっている。この下段枠体１６は皿状の周壁３１によって構成され、この周壁３１の中央部に内筒３２が設けられている。周壁３１の上端縁部には、３ヵ所の位置に等間隔にＵ字状の切欠き３３が設けられている。この切欠き３３には、前記上段枠体１５と同様の薄膜が設けられる。下段枠体１６の一側には上段枠体１５と同様に当接部１４が形成されている。
【００１９】
内筒３２の内径は、後述する支柱１７の下柱部１７Ｃに整合する大きさ及び形状に成形されている。即ち、支柱１７が内筒３２に、ぐらつかないで嵌合するように、全体の寸法が下柱部１７Ｃよりも僅かに大きい程度に設定されている。
【００２０】
蓋体１２は図１、図２及び図９から図１２に示すように構成されている。この蓋体１２は主に、鉢本体１１の上側を施蓋する施蓋板３５と、この施蓋板３５の一側（図１０中の上側）に一体的に形成された係止部１３とから構成されている。
【００２１】
施蓋板３５は、上段枠体１５の周壁２１の上端縁部に嵌合する断面コ字状の環状凹部３６と、この環状凹部３６の中央部に位置し全体が組み立てられた状態で支柱１７の上端部が嵌合すると共に上段枠体１５の内筒２３の上端部を嵌合支持する皿部３７と、この皿部３７と環状凹部３６とを連結するリブ３８とから構成されている。環状凹部３６は平面形状をほぼ半円状に形成されている。
【００２２】
係止部１３は、施蓋板３５の一側（皿部３７の近傍である図１０中の上側）に上方に起立して形成されている。この係止部１３は当接部１４と連続するように面一に形成されている。係止部１３は補強用リブ１３Ａで補強され、その上部に係止用穴３９が設けられている。この係止用穴３９は、釘等に掛けるための穴で、下側の大径の穴と上側の小径の穴とを合わせた状態に形成されている。
【００２３】
以上の構成の蓋体１２及び各枠体１５，１６は互いに重ね合わせて小さくなるように設定されている。具体的には、図１７及び図１８に示すように、蓋体１２の上側に上段枠体１５を載置し、上段枠体１５の内部に下段枠体１６を収納して、全体の容積を鉢本体１１のほぼ２分の１にまで小さくできるようになっている。これは、保管時や輸送時に嵩ばらないようにするためである。
【００２４】
支柱１７は、図１３から図１６に示すように、上方へ向け３段階に縮径して形成されている。径の小さい上柱部１７Ａは、円筒状に形成され、上段枠体１５の内筒２３の上段筒部２３Ａに嵌合し得る径に設定されている。中柱部１７Ｂも円筒状に形成され、上段枠体１５の内筒２３の下段筒部２３Ｂに嵌合し得る径に設定されている。下柱部１７Ｃは下段枠体１６の内筒３２が嵌合し得る径及び形状に設定されている。この下柱部１７Ｃは円筒状ではなく、対向する両側面を切り欠いたほぼ楕円状に形成されている。
【００２５】
各柱部１７Ａ，１７Ｂ，１７Ｃの各下端部には第１段部１７Ｄ、第２段部１７Ｅ，第３段部１７Ｆがそれぞれ形成されている。この各段部１７Ｄ，１７Ｅ，１７Ｆは、上段枠体１５及び下段枠体１６をそれぞれ支持する。
【００２６】
支柱１７の上端部には雄ねじ１７Ｇが形成され、この雄ねじ１７Ｇに締付けノブ１８が螺合される。この支柱１７は、内部が中空で、水を貯えることができる容器になっている。支柱１７の上端面には注水口４１（図１６参照）が設けられている。この注水口４１から草花に給水するための水が注がれる。支柱１７の上柱部１７Ａには対向する２ヵ所の位置に給水口４２が設けられている。この給水口４２は前記上段枠体１５の内筒２３に設けた給水口２５とほぼ同様の大きさ及び形状を有し、かつ全体が組み立てられた状態で各給水口２５，４２が整合するようになっている。この支柱１７の給水口４２は次のようにして形成される。即ち、支柱１７はブロー成形により、図１６に示すように、２つの突起部４３を有して成形され、後でこの突起部４３を切り落として各給水口４２を形成している。
【００２７】
上段枠体１５と支柱１７との間には、図１及び図２に示すように、毛細管現象により水を少しずつ草花の根元に供給する給水部材としての給水ヒモ４５が配設されている。この給水ヒモ４５は、内筒２３の給水口２５と支柱１７の給水口４２とが整合した状態で、一端が支柱１７内の底部に、他端が鉢本体１１内に植えられる草花の根元側に配置されている。この給水ヒモ４５の材料としては主に綿等の布が用いられる。
【００２８】
締付けノブ１８は図１及び図２に示すように主に、内側面に雌ねじ５１が施された筒部１８Ａと、施蓋板３５の皿部３７に嵌合して施蓋板３５を上側から位置決めして支持する拡径部１８Ｂと、手で持って締め付けたり緩めたりする支持部１８Ｃとから概略構成されている。さらに、支持部１８Ｃは、皿状に形成されて、その中央部に支柱１７の注水口４１に嵌合する管部１８Ｄを有し、支柱１７内に水を注ぐ漏斗として機能するようになっている。
【００２９】
［実施例の作用］
以上のように構成された壁掛け型給水機能付き植木鉢１０は、工場出荷時や保管時等においては、図１７及び図１８に示すように分解して小さく梱包されている。即ち、蓋体１２の上側に上段枠体１５を載置し、上段枠体１５の内部に下段枠体１６を収納する。これにより、全体の容積を鉢本体１１のほぼ２分の１にまで小さくしている。この重ねた蓋体１２及び各枠体１５，１６、支柱１７等の各部材は互いに重ねて容器等に梱包される。
【００３０】
草花を植えるときは以下のようにして行なう。下段枠体１６に支柱１７を下側から挿入する。下段枠体１６はその内筒３２が支柱１７の第３段部１７Ｆに当接して支持される。次いで、下段枠体１６内に土や土の代用品を入れ、この土等に草花を植え、この草花の先端を下段枠体１６の各切欠き３３から外部に出す。このとき、切欠き３３に形成された薄膜を草花の茎の径に合せて切り取る。この薄膜は薄くて弱いため、草花が成長して茎が大きくなった場合は、この茎によって薄膜が押し広げられる。
【００３１】
次いで、支柱１７に上段枠体１５の内筒２３を嵌合して下段枠体１６の上に重ねる。これにより、下段枠体１６の周壁３１の上端縁部が上段枠体１５の嵌合部２２に嵌合すると共に、上段枠体１５の内筒２３の環状壁２３Ｅが下段枠体１６の内筒３２に嵌合する。この結果、上段枠体１５と下段枠体１６とが支柱１７に支持された状態で互いにずれないように嵌合して、ほぼ四半球状の鉢本体１１を構成する。
【００３２】
この状態で、各給水口２５，４２が互いに整合し、給水ヒモ４５を各給水口２５，４２に挿入し、鉢本体１１内と支柱１７内とを結ぶ。次いで、上段枠体１５内に土等を入れる。この土等に草花を植え、切欠き２６から草花の先端を出す。この切欠き２６の場合も前記同様に、薄膜を適当な大きさに切り取る。
【００３３】
次いで、締付けノブ１８を支柱１７の雄ねじ１７Ｇに螺合させる。これにより、締付けノブ１８の拡径部１８Ｂが施蓋板３５の皿部３７に嵌合すると共に、支持部１８Ｃが皿部３７を上側から押えてこの施蓋板３５を支柱１７側に固定支持する。さらに、施蓋板３５は上段枠体１５を固定支持する。この結果、締付けノブ１８を締め付けることで、各枠体１５，１６及び施蓋板３５が支柱１７に嵌合された状態で全体が一体的に固定支持される。
【００３４】
そして、蓋体１２の係止部１３に設けた係止用穴３９を用いて植木鉢１０を壁等の垂直面に掛ける。即ち、壁等に釘等を打ち込み、この釘等に係止部１３の係止用穴３９を掛ける。
【００３５】
一方、草花に水をやるときは水差し等で締付けノブ１８に水を注ぐ。締付けノブ１８では、その上側に貯まった水が管部１８Ｄから注水口４１を介して支柱１７内に注ぎ込まれる。支柱１７内に貯まった水は給水ヒモ４５の毛細管現象によって少しずつ草花の根元に供給される。そして、支柱１７内の水が減少してきたころを見計らって、定期的に水を補給してやる。
【００３６】
また、土等に多量の水をやるときは、水差し等で上段枠体１５の上側から注ぎ込む。これにより、水は土等の中や、上段枠体１５の内側壁を伝って下段枠体１６の底まで滲み込む。このとき、各枠体１５，１６の接続部分は嵌合部２２によって覆われているため、水はこの嵌合部２２に沿ってその下側に位置する下段枠体１６の内側壁に流れる。
【００３７】
［実施例の効果］
以上のように、支柱１７を中空状に成形して内部に水を貯め、給水ヒモ４５による毛細管現象によって草花の根元に水を少しずつ供給するようにしたので、給水の必要な期間が長期化し、水をやる回数を減らすことができる。
【００３８】
また、壁面等に掛けられる構成の植木鉢１０の場合は鉢本体１１内が乾燥しやすいため、特に効果的である。
【００３９】
また、既存の部材である支柱１７を利用して水を貯め、給水ヒモ４５で給水する構成としたため、特別な部材を必要とせず、嵩ばることなく、植木鉢１０に給水機能を備えることができるようになる。さらに、部品点数も増えないため、安いコストで給水機能を備えることができるようになる。
【００４０】
また、上段枠体１５の周壁２１の下端縁部に嵌合部２２を設けたので、各枠体１５，１６の接続部分を流れる水が、この接続部分から外部に漏れ出すのを確実に防止することができる。
【００４１】
また、各切欠き２６，３３に薄膜を設けたので、各周壁２１，３１の内面に沿って流れる水が各切欠き２６，３３に流れ落ちても、薄膜によって遮られ、この切欠き２６，３３から外部に水が漏れ出すのを確実に防止することができる。
【００４２】
［変形例］
前記実施例では、各枠体１５，１６の周壁２１，３１を平坦面状に形成したが、図１９に示すように、補強用ビード６１を設けてもよい。この補強用ビード６１は周壁２１，３１の表面を凹状に窪ませて形成したものである。これにより、鉢本体１１の剛性を大幅に向上させることができる。この補強用ビード６１としては、凹状に窪ませた態様の他に凸状に隆起させて形成してもよい。
【００４３】
また、前記実施例では、係止部１３を蓋体１２の一側から立ち上げて形成したが、上段枠体１５の当接部１４に係止用穴３９のみを設けるようにしてもよい。
【００４４】
また、前記実施例においては、薄膜を各枠体１５，１６の成形の際に一体的に成形するようにしたが、薄膜を別部材とし、各枠体１５，１６の成形後に各切欠き２６，３３にそれぞれ貼り付けるようにしてもよい。
【００４５】
また、前記実施例では、鉢本体１１を四半球状に形成した場合を例に説明したが、当接部１４を有する構成であれば、直方体等の他の形状にしてもよい。例えば直方体にする場合は、各枠体を互いに収納できるように、多少樽型状にふくらみを持たせた形状にする。
【００４６】
【発明の効果】
以上詳細に説明したように本発明によれば、次の効果を奏することができる。
【００４７】
（１）  支柱を中空状に成形して内部に水を貯め、給水部材による毛細管現象によって草花の根元に水を少しずつ供給するようにしたので、給水の必要な期間が長期化し、水をやる回数を減らすことができる。
【００４８】
（２）  垂直面に掛けられる構成の植木鉢の場合は鉢本体内が乾燥しやすいため、本発明の給水機能を備えると、効果的である。
【００４９】
（３）  多数の草花を周囲から植えるために鉢本体が複数の枠体に分割されている場合には、周囲に水分が乾燥しやすい穴を多数有するため、本発明の給水機能を備えると、特に効果的である。
【００５０】
（４）  既存の部材である支柱を利用して水を貯め、別部材を必要としないため、植木鉢に給水機能を嵩ばらずに備えることができると共に、部品点数も増えず、安いコストで給水機能を備えることができるようになる。
【図面の簡単な説明】
【図１】  本発明に係る壁掛け型給水機能付き植木鉢の全体構成を示す正面図である。
【図２】  壁掛け型給水機能付き植木鉢の側面断面図である。
【図３】  鉢本体の上段枠体を示す一部破断正面図である。
【図４】  鉢本体の上段枠体を示す側面断面図である。
【図５】  鉢本体の上段枠体を示す平面図である。
【図６】  鉢本体の下段枠体を示す一部破断正面図である。
【図７】  鉢本体の下段枠体を示す側面断面図である。
【図８】  鉢本体の下段枠体を示す平面図である。
【図９】  蓋体を示す一部破断正面図である。
【図１０】  蓋体を示す平面図である。
【図１１】  蓋体を示す裏面図である。
【図１２】  蓋体を示す側面断面図である。
【図１３】  支柱を示す正面図である。
【図１４】  支柱を示す側面図である。
【図１５】  支柱を示す平面図である。
【図１６】  支柱を示す正面断面図である。
【図１７】  蓋体、各枠体及び支柱を互いに収納した状態を示す概略断面図である。
【図１８】  蓋体、各枠体及び支柱を互いに収納した状態を示す概略平面図である。
【図１９】  変形例を示す一部破断正面図である。
【図２０】  従来例を示す斜視図である。
【符号の説明】
１１…鉢本体、１２…蓋体、１３…係止部、１４…当接部、１５…上段枠体、１６…下段枠体、１７…支柱、１８…締付けノブ、２１，３１…周壁、２５，４２…給水口、４５…給水ヒモ。
【図１】
0003662281.tif 000002
【図２】
0003662281.tif 000003
【図３】
0003662281.tif 000004
【図４】
0003662281.tif 000005
【図５】
0003662281.tif 000006
【図６】
0003662281.tif 000007
【図７】
0003662281.tif 000008
【図８】
0003662281.tif 000009
【図９】
0003662281.tif 000010
【図１０】
0003662281.tif 000011
【図１１】
0003662281.tif 000012
【図１２】
0003662281.tif 000013
【図１３】
0003662281.tif 000014
【図１４】
0003662281.tif 000015
【図１５】
0003662281.tif 000016
【図１６】
0003662281.tif 000017
【図１７】
0003662281.tif 000018
【図１８】
0003662281.tif 000019
【図１９】
0003662281.tif 000020
【図２０】
0003662281.tif 000021